(57)【特許請求の範囲】
【請求項１】
画像を撮像してデータを生成する撮像手段と、上記撮像手段からのデータを記憶する複数の記憶手段と、上記複数の記憶手段に対応して設けられ各記憶手段にデータを記録する複数の記録手段と、各記録手段が各記憶手段にデータを記録していることを示す記録中表示を少なくとも表示する表示手段と、上記一の記憶手段に当該一の記憶手段に対応する記録手段でデータを記録しているときの記録中表示と、他の記憶手段に当該他の記憶手段に対応する記録手段でデータを記録しているときの記録中表示とを区別するように上記表示手段を制御する表示制御手段とを備えるカメラ装置であって、
上記複数の記憶手段は、静止画像を記録する第１の記録媒体と、静止画像及び動画像を記録する第２の記録媒体とからなり、上記複数の記録手段は、上記第１の記録媒体に静止画像を記録する第１の記録手段と、上記第２の記録媒体に静止画像又は動画像を記録する第２の記録手段とからなり、
上記表示制御手段は、上記第１の記録手段が上記第１の記録媒体に静止画像を記録中であることを示す表示単位と上記第１の記録媒体を示す表示アイコンとを記録中表示として表示し、上記表示単位が上記表示アイコンに向かって順次消灯するように上記表示手段を制御し、所定の周期で消灯と点灯とを繰り返すことで上記第１の記録媒体に記録中である旨の表示を行い、上記第１の記録媒体に静止画像を示す映像信号を記録し終わったら、上記表示単位を全て消灯するように上記表示手段を制御することを特徴とするカメラ装置。
【発明の詳細な説明】
【０００１】
【発明の属する技術分野】
本発明は、テープ状記録媒体やカード状記録媒体等の記録媒体に静止画像又は動画像を記録するカメラ装置に関し、詳しくは、静止画像を記録していることを示す記録中表示を表示モニタに表示するカメラ装置に関する。
【０００２】
【従来の技術】
従来のディジタルカメラ装置は、記録媒体としてテープ状記録媒体のみを内蔵し、撮像した動画像又は静止画像を当該テープ状記録媒体に記録するようになされていることが多い。したがって、従来のディジタルカメラ装置においては、テープ状記録媒体に静止画像等を記録する場合であっても、静止画像をテープ状記録媒体に記録していることを示す記録中表示、動画像をテープ状記録媒体に記録していることを示す記録中表示を行うことでユーザにテープ状記録媒体の記録状態を示すことができる。
【０００３】
【発明が解決しようとする課題】
上述のディジタルカメラ装置では、記録媒体としてテープ状記録媒体のみを内蔵しているときにおける動画像又は静止画像の記録中表示しか行わない。しかし、例えばテープ上記録媒体とは別のカード状記録媒体等の他の記録媒体を備える場合には、カード状記録媒体等とテープ状記録媒体とを区別して記録中表示を行うことが望ましい。
【０００４】
すなわち、カード状記録媒体とテープ状記録媒体とでは、静止画像を記録するのに要する時間や意味合いが異なるため、ユーザに示す記録中表示を明確に区別する必要がある。
【０００５】
しかし、従来のカメラ装置では、テープ状記録媒体に静止画像を記録していることを示す記録中表示は一般的に知られているが、テープ状記録媒体とは異なる記録媒体、例えばカード状記録媒体に記録していることを示す記録中表示は存在しないのが現実である。
【０００６】
そこで、本発明は、上述した実情に鑑みて提案されたものであり、異なる種類の記録媒体を備えたカメラ装置で静止画像を記録する場合であっても、いづれの記録媒体に静止画像を記録しているのかをユーザに明確に示すことができるカメラ装置を提供することを目的とする。
【０００７】
【課題を解決するための手段】
本発明は、画像を撮像してデータを生成する撮像手段と、上記撮像手段からのデータを記憶する複数の記憶手段と、上記複数の記憶手段に対応して設けられ各記憶手段にデータを記録する複数の記録手段と、各記録手段が各記憶手段にデータを記録していることを示す記録中表示を少なくとも表示する表示手段と、上記一の記憶手段に当該一の記憶手段に対応する記録手段でデータを記録しているときの記録中表示と、他の記憶手段に当該他の記憶手段に対応する記録手段でデータを記録しているときの記録中表示とを区別するように上記表示手段を制御する表示制御手段とを備えるカメラ装置であって、上記複数の記憶手段は、静止画像を記録する第１の記録媒体と、静止画像及び動画像を記録する第２の記録媒体とからなり、上記複数の記録手段は、上記第１の記録媒体に静止画像を記録する第１の記録手段と、上記第２の記録媒体に静止画像又は動画像を記録する第２の記録手段とからなり、上記表示制御手段は、上記第１の記録手段が上記第１の記録媒体に静止画像を記録中であることを示す表示単位と上記第１の記録媒体を示す表示アイコンとを記録中表示として表示し、上記表示単位が上記表示アイコンに向かって順次消灯するように上記表示手段を制御し、所定の周期で消灯と点灯とを繰り返すことで上記第１の記録媒体に記録中である旨の表示を行い、上記第１の記録媒体に静止画像を示す映像信号を記録し終わったら、上記表示単位を全て消灯するように上記表示手段を制御することを特徴とするものである。
【０００９】
【発明の実施の形態】
以下、本発明の実施の形態について図面を参照しながら詳細に説明する。
【００１０】
本発明が適用可能なカメラ装置１は、図１に示すように、被写体を撮像して映像信号を生成するカメラ処理部２と、カメラ処理部２からの映像信号を動作モードに応じて出力するインタフェイス用ゲートアレイ（以下、Ｉ／Ｆ用ゲートアレイと称する。）３と、Ｉ／Ｆ用ゲートアレイ３からの映像信号を格納する第１のメモリ４と、映像信号に圧縮伸長処理を施す圧縮伸長処理部５と、圧縮伸長処理部５で圧縮伸長処理が施された映像信号を格納する第２のメモリ６と、静止画像を示す映像信号を記録する着脱可能なカードメモリ７と、カードメモリ７に記録された静止画像を示す映像信号の入出力を管理するメモリコントローラ８と、これらの各部を制御する静止画マイコン９と、ユーザにより操作され操作信号を生成するＨ／Ｉコントローラ１０と、Ｈ／Ｉコントローラ１０からの操作信号に基づいてカメラ処理部２を制御するカメラコントローラ１１と、カメラ装置の機械的な制御を行うメカコントローラ１２とを有する。
【００１１】
このカメラ装置１において、静止画マイコン９は、Ｈ／Ｉコントローラ１０からの操作信号に基づいて制御命令を生成し、アドレスバス、データバス等を介して接続されたＩ／Ｆ用ゲートアレイ３、第１のメモリ４、圧縮伸長処理部５、メモリコントローラ８に当該制御命令を出力することでこれらの各部を制御する。
【００１２】
更に、このカメラ装置１は、信号処理部３からの映像信号を所定のフォーマットに変換する変換処理部１３と、動画像及び静止画像を表示する表示部１４と、動画像及び静止画像を示す映像信号を記憶するテープ状記録媒体１５と、テープ状記録媒体１５又は外部出力端子に映像信号を出力する信号切換部１６とを備える。
【００１３】
カメラ処理部２は、例えば固体撮像素子を備えたＣＣＤイメージャ等を備えてなり、入射した光に応じて映像信号を生成する。このカメラ処理部２は、カメラ装置１の動作モードを示すカメラコントローラ１１からの制御信号に応じて静止画像を示す映像信号又は動画像を示す映像信号を生成する。このカメラ処理部２は、生成した映像信号をＩ／Ｆ用ゲートアレイ３に出力する。
【００１４】
Ｉ／Ｆ用ゲートアレイ３は、静止画マイコン９からのカメラ装置１の動作モードを示す制御信号に基づいてカメラ処理部２からの映像信号を第１のメモリ４又は変換処理部１３に出力する。このＩ／Ｆ用ゲートアレイ３は、例えば静止画を記録するモードを示す制御信号が入力されたときには、入力された静止画像を示す映像信号を第１のメモリ４に出力する。また、このＩ／Ｆ用ゲートアレイ３は、例えば動画像を撮像するモードを示す制御信号が入力されたときには、入力された静止画像を示す映像信号を変換処理部１３に出力する。更に、このカメラ装置１においては、動画像又は静止画像を表示させる旨の制御信号が表示部１４に入力されたときには、動画像又は静止画像を示す映像信号を変換処理部１３に出力する。
【００１５】
変換処理部１３は、Ｉ／Ｆ用ゲートアレイ３から入力された動画像を示す映像信号を所謂ディジタルビデオ（degital video:DV）規格に準じたフォーマット形式に変換する処理を行う。この変換処理部１３は、ＤＶ規格に準じたフォーマット形式に変換した映像信号を信号切換部１６に出力する。また、この変換処理部１３は、動画像又は静止画像を示す映像信号を表示する旨の制御信号が入力されたときには、当該入力された映像信号を表示部１４で表示可能なフォーマット形式に変換して表示部１４に出力する。更に、この変換処理部１３は、内部にメモリを備えており、当該メモリを用いて表示部１４に出力する映像信号を一時格納する。
【００１６】
信号切換部１６は、変換処理部１３からＤＶ規格に準じたフォーマット形式に変換された映像信号が入力される。この信号切換部１６は、映像信号を外部に出力する旨の制御信号が入力されたときには外部端子インタフェイスとして機能するＤＶＩ／Ｆに出力し、動画像又は静止画像を示す映像信号を記録する旨の制御信号が入力されたときにはテープ状記録媒体１５に出力する。
【００１７】
テープ状記録媒体１５は、信号切換部１６からＤＶ規格に準じたフォーマット形式の映像信号が記録されるとともに、記録された映像信号が読み出される媒体である。このテープ状記録媒体１５としては、例えばテープ上の媒体に映像信号が残留磁化として記録される磁気テープを利用することができる。
【００１８】
このようなカメラ装置１は、カメラ処理部２で生成した動画像を示す映像信号を上述のＩ／Ｆ用ゲートアレイ３、変換処理部１３を介して表示部１４に表示するとともに、Ｉ／Ｆ用ゲートアレイ３、変換処理部１３、信号切換部１６を介してテープ状記録媒体１５に記録する。
【００１９】
第１のメモリ４は、例えば容量が約４Ｍｂｉｔの不揮発性半導体メモリからなり、Ｉ／Ｆ用ゲートアレイ３を介して静止画像を示す映像信号が入力される。この第１のメモリ４に格納された映像信号は、Ｉ／Ｆ用ゲートアレイ３により読み込まれ、８ビットのデータとしてデータバスを介して圧縮伸長処理部５に入力される。ここで、Ｉ／Ｆ用ゲートアレイ３は、静止画マイコン９からアドレスバスを介して入力される制御信号に基づいて第１のメモリ４に格納されている映像信号を読み込み、圧縮伸長処理部５に出力する。
【００２０】
圧縮伸長処理部５は、静止画像を示す映像信号がＩ／Ｆ用ゲートアレイ３を経由して入力され、当該映像信号に例えばＪＰＥＧ（joint photographic expert group）方式で圧縮処理を施す。この圧縮伸長処理部５は、Ｈ／Ｉコントローラ１０からの操作信号により指定された所定の圧縮率を示す静止画マイコン９からの制御信号に応じて圧縮処理を映像信号に施す。また、この圧縮伸長処理部５は、静止画マイコン９から例えば静止画像を表示することを示す制御命令に応じてメモリコントローラ８から入力された映像信号に伸長処理を施す。そして、この圧縮伸長処理部５は、伸長処理を施した映像信号をＩ／Ｆ用ゲートアレイ３に出力する。
【００２１】
第２のメモリ６は、上述の圧縮伸長処理部５で圧縮処理が施された静止画像を示す映像信号が入力される。このとき、圧縮伸長処理部５は、静止画マイコン９からアドレスバスを介して入力される制御信号に応じて第２のメモリ６に所定のアドレスに映像信号を記憶する。
【００２２】
カードメモリ７は、ＰＣＭＣＩＡ（personal computer card international association）規格に準じたＰＣカードである。このカードメモリ７は、約２Ｍｂｉｔの容量を有し、第２のメモリ６に格納された映像信号がメモリコントローラ８を介して入力される。
【００２３】
メモリコントローラ８は、静止画マイコン９により読み出され圧縮された映像信号がＡＴＡ（AT attachment）インターフェイスを介して転送される。このメモリコントローラ８は、静止画マイコン９から転送された映像信号をカードメモリ７に格納する。また、このメモリコントローラ８は、静止画マイコン９からの制御命令に応じてカードメモリ７に格納された映像信号を読み出して静止画マイコン９に出力する。
【００２４】
表示部１４は、変換処理部１３から動画像又は静止画像を示す映像信号が入力されるとともに、静止画マイコン９から制御信号が入力される。この表示部１４は、静止画マイコン９からの制御信号に応じてテープ状記録媒体１５に静止画像を示す映像信号を記録していることを示す記録中表示を表示するとともに、カードメモリ７に静止画像を示す映像信号を記録していることを示す記録中表示を表示する。
【００２５】
静止画マイコン９は、制御信号を出力して上述の各部を制御する。この静止画マイコン９は、Ｈ／Ｉコントローラ１０からの操作信号が入力され、当該操作信号に基づいて上述の各部を制御する制御信号を生成する。
【００２６】
この静止画マイコン９は、カメラ処理部２で生成した静止画像を示す映像信号をカードメモリ７に記録するときには、第１のメモリ４に格納された映像信号をＩ／Ｆ用ゲートアレイ３を介して圧縮伸長処理部５で圧縮処理し、データバスを介して第２のメモリ６に圧縮された映像信号を格納し、第２のメモリ６に格納させるように制御する。そして、静止画マイコン９は、第２のメモリ６に格納した映像信号を読み出してメモリコントローラ８に出力し、メモリコントローラ８から映像信号をカードメモリ７に記録するように制御する。
【００２７】
このとき、静止画マイコン９は、カードメモリ７に静止画像を示す映像信号を記録していることを示す記録中表示をするように制御信号を表示部１４に出力する。
【００２８】
カードメモリ７に映像信号を記録しているときの表示部１４に表示される記録中表示は、図２に示すように、メモリ記録バー２１と、カード模様のメモリアイコン２２とからなる。カードメモリ７に静止画像を示す映像信号を記録しているときには、メモリ記録バー２１を画面左側からメモリアイコン２２に向かって消灯することで記録中である旨の表示を行い、カードメモリ７に静止画像を示す映像信号を記録し終わったら、メモリ記録バー２２を全て消灯する。
【００２９】
また、静止画マイコン９は、カメラ処理部２で生成した静止画像を示す映像信号をテープ状記録媒体１５に記録するときには、上述と同様に第１のメモリ４に格納された映像信号を圧縮伸長処理部５で圧縮処理して第２のメモリ６に格納し、第２のメモリ６に格納された映像信号をＩ／Ｆ用ゲートアレイ３、変換処理部１３、信号切換部１６を介してテープ状記録媒体１５に記録するように制御する。
【００３０】
このとき、静止画マイコン９は、テープ状記録媒体１５に静止画像を示す映像信号を記録していることを示す記録中表示をするように制御信号を表示部１４に出力する。
【００３１】
テープ状記録媒体１５に静止画像を記録しているときの表示部１４に表示される記録中表示は、図３に示すように、メモリ記録点３１と、カメラ模様のメモリアイコン３２とからなる。テープ状記録媒体１５に静止画像を示す映像信号を記録しているときには、メモリ記録点３１を画面右側からメモリアイコン３２に向かって所定の周期で消灯と点灯とを繰り返すことで記録中である旨の表示を行い、テープ状記録媒体１５に静止画像を示す映像信号を記録し終わったら、メモリ記録点３１を全て消灯する。
【００３２】
Ｈ／Ｉコントローラ１０は、例えばユーザが操作する操作パネル、操作ダイヤル、シャッタスイッチ等を備え、当該操作パネル等がユーザにより操作されることにより、操作信号を生成する。このＨ／Ｉコントローラ１０は、生成した操作信号をカメラコントローラ１１，メカコントローラ１２及び静止画マイコン９に出力することにより、これらに制御信号を生成させる。
【００３３】
また、このＨ／Ｉコントローラ１０を構成するシャッタボタンは、押圧方向に２段階のスイッチとなされており、１段階目の押圧ポジションまで押圧されることで所謂「半押し」状態となされ、２段階目の押圧ポジションまで押圧されることで所謂「全押し」状態となされる。
【００３４】
このようなシャッタボタンを備えたＨ／Ｉコントローラ１０は、ユーザにより上記半押し状態となされるとその旨を示す操作信号を静止画マイコン９に出力し、ユーザにより上記全押し状態となされるとその旨を示す操作信号を静止画マイコン９に出力する。
【００３５】
カメラコントローラ１１は、上述のＨ／Ｉコントローラ１０からの操作信号に応じて制御信号を生成し、カメラ処理部２の処理内容を制御する。このカメラコントローラ１１は、例えば静止画像の画質を指定した操作信号が入力されたときには、その旨を示す制御信号をカメラ処理部２に出力し、指定された静止画像の画質に応じた解像度で映像信号を生成させるように制御する。
【００３６】
メカコントローラ１２は、上述のＨ／Ｉコントローラ１０からの操作信号に応じて制御信号を生成し、例えばカメラ処理部２に内蔵されているレンズのフォーカス機構、テープ状記録媒体１５の送り機構等を制御する。
【００３７】
次に、上述のカメラ装置１で静止画像を撮影し、カードメモリ７に静止画像を示す映像信号を記録するときの処理内容について図４に示すフローチャートを用いて説明する。
【００３８】
この図４に示したフローチャートによれば、先ずステップＳ１において、例えばＨ／Ｉコントローラ１０の操作パネルが操作される。ここで、静止画像を撮像する静止画記録モードが選択されているものとする。
【００３９】
ステップＳ２において、Ｈ／Ｉコントローラ１０は、キー操作により静止画像を撮像するシャッタスイッチの押圧状態を検知する。そして、Ｈ／Ｉコントローラ１０は、シャッタスイッチが押されていない解放状態であるときにはその旨を示す操作信号を静止画マイコン９に出力してステップＳ３に進み、シャッタスイッチが半押し状態であるときにはその旨を示す操作信号を静止画マイコン９に出力してステップＳ４に進み、シャッタスイッチが全押し状態であるときにはその旨を示す操作信号を静止画マイコン９に出力してステップＳ５に進む。
【００４０】
ステップＳ３において、静止画マイコン９は、上述のステップＳ２において入力された操作信号に基づいて表示部１４を定常表示とする。ここで、静止画マイコン９は、カメラ処理部２で生成した動画像を示す映像信号をＩ／Ｆ用ゲートアレイ３に入力し、変換処理部１３を介して表示部１４に動画像を表示させることで定常表示を行う。
【００４１】
このとき、Ｈ／Ｉコントローラ１０は、カメラコントローラ１１を制御することにより、カメラ処理部２で撮像した動画像を表示する。また、静止画マイコン９は、図５（ａ）に示すように、表示画面の上部に静止画記録モードで静止画像を記録するときの画質モード（スタンダード）を示す「ＳＴＤ」、静止画記録枚数／静止画記録可能枚数として「１００／１０００」、カードメモリ７に静止画像を記録することを示すメモリアイコンとを表示させる。
【００４２】
ここで、静止画記録モードで静止画像を記録するときの画質としては、高いものからスーパーファイン、ファイン、スタンダードの３段階とされ、ユーザが任意に選択可能である。また、画質をユーザが選択すると、Ｈ／Ｉコントローラ１０は、その旨を示す操作信号をカメラコントローラ１１に出力し、カメラ処理部２でユーザが選択した画質に応じた解像度で静止画像を撮像させる。また、静止画記録可能枚数は、上述の画質が高くなるほど情報量が大きくなることから、画質の高いモードを選択することにより減少する。
【００４３】
ステップＳ４において、Ｈ／Ｉコントローラ１０は、上述のステップＳ２において生成した操作信号をカメラコントローラ１１に出力することによりカメラ処理部２で静止画像を示す映像信号を生成させる。このとき、静止画マイコン９は、カメラ処理部２で生成した静止画像を示す映像信号を一旦第１のメモリ４に格納するようにＩ／Ｆ用ゲートアレイ３を制御する。
【００４４】
ステップＳ５において、静止画マイコン９は、上述のステップＳ２において生成したＨ／Ｉコントローラ１０からの操作信号に応じて表示部１４に図５（ｂ）に示す「キャプチャー」の表示をさせるとともに、上述のステップＳ３で説明した定常表示から静止画像が表示される。なお、このステップＳ５においては、静止画像を記録していない。
【００４５】
ステップＳ６において、Ｈ／Ｉコントローラ１０は、上述のステップＳ２において生成した操作信号を静止画マイコン９に出力することにより上述の半押し状態において第１のメモリ４に取り込んだ映像信号の記録を開始する。このとき、静止画マイコン９は、図５（ｃ）に示すように、表示画面上部に「ＳＴＤ」、メモリ記録バー２１及びメモリアイコン２２を表示部１４に表示させる。メモリ記録バー２１は、メモリアイコン２２から１０個の表示単位として表示され、キャプチャしたときの静止画像をカードメモリ７に記録していることを示す表示である。
【００４６】
ステップＳ７において、静止画マイコン９は、上述のステップＳ４において第１のメモリ４に格納した映像信号をＩ／Ｆ用ゲートアレイ３を介して圧縮伸長処理部５に入力し、当該圧縮伸長処理部５で圧縮処理し、圧縮処理を施した映像信号を第２のメモリ６に格納して読み込み、メモリコントローラ８に圧縮処理を施した映像信号をカードメモリ７に記録するように各部を制御する。このとき、静止画マイコン９は、図５（ｄ）に示すように、メモリ記録バー２１を「ＳＴＤ」の表示からメモリアイコン２２の表示に向かって順次消灯していく。ここで、静止画マイコン９は、図５（ｅ）に示すように例えば約１秒間で全てのメモリ記録バー２１を消灯させ、再び全てのメモリ記録バー２１を表示することを繰り返すように表示させる。すなわち、静止画マイコン９は、カードメモリ７に静止画像を示す映像信号を記録しているときには、図５（ｃ）〜図５（ｅ）に示す記録中表示を繰り返すことになる。
【００４７】
ステップＳ８において、静止画マイコン９は、上述のステップＳ７で説明したように静止画像を示す映像信号をカードメモリ７に記録し終えたか否かを判断する。静止画マイコン９は、カードメモリ７に静止画像を示す映像信号の記録が終了していないと判定したときには、ステップＳ７に戻って上述した表示を繰り返す。静止画マイコン９は、カードメモリ７に静止画像を示す映像信号の記録が終了したと判定したときには、上述の図５（ｃ）〜図５（ｅ）に示す記録中表示も終了させる。そして、静止画マイコン９は、カードメモリ７に静止画像を示す映像信号の記録が終了したら、上述のステップＳ３に示す定常表示に戻るように制御する。
【００４８】
上述した本発明を適用したカメラ装置１は、静止画像を示す映像信号をカードメモリ７に記録する処理を行うときに図５（ｃ）〜図５（ｅ）に示す記録中表示を行い、静止画像を示す映像信号をテープ状記録媒体１５に記録する処理を行うときにはカメラ模様のメモリアイコン３２とメモリ記録点３１とを用いて記録中表示を行うので、メモリ記録バー２１とメモリアイコン２２とでこれらの記録中表示を区別することができ、ユーザに静止画像が記録されている媒体がカードメモリ７か、テープ状記録媒体１５なのかを明確に区別して視覚的に示すことができる。
【００４９】
また、このカメラ装置１によれば、図５（ｃ）〜図５（ｅ）に示すように記録中表示を行うことにより、メモリ記録バー２１がメモリアイコン２２に向かって順次消灯するように表示を行うことができ、あたかもカードメモリ７に静止画像の記録が行われているように見せることができる。
【００５０】
なお、上述したカメラ装置１の説明においては、図５（ａ）に示すように定常表示を行っているときに静止画像をカードメモリ７に記録するときの一例について説明したが、他のアプリケーションを起動して例えば静止画像の編集処理を行っているときであっても上述した図５（ｃ）〜図５（ｅ）に示す記録中表示を行っても良い。
【００５１】
また、上述したカメラ装置１の説明においては、１枚だけの静止画像を示す映像信号をカードメモリ７又はテープ状記録媒体１５に記録しているときの記録中表示について説明したが、２枚〜４枚の静止画像を示す映像信号を連写撮影してカードメモリ７又はテープ状記録媒体１５に記録するときにも記録中表示を行って良く、更には９枚の静止画像を示す映像信号を連写撮影して９分割の静止画像を表示部１４の一画面内に表示するマルチ画面連写モードで撮像した静止画像を示す映像信号をカードメモリ７又はテープ状記録媒体１５に記録するときにも記録中表示を行っても良いことは勿論である。
【００５２】
【発明の効果】
以上詳細に説明したように、本発明に係るカメラ装置は、一の記憶手段に当該一の記憶手段に対応する記録手段で記録しているときの記録中表示と、上記他の記憶手段にデータを上記他の記憶手段に対応する記録手段で記録しているときの記録中表示とを区別して表示を行うことができ、しかも、第１の記録手段が第１の記録媒体に静止画像を記録中であることを示す表示単位と上記第１の記録媒体を示す表示アイコンとを記録中表示として表示し、上記表示単位が上記表示アイコンに向かって順次消灯するように表示手段を制御し、所定の周期で消灯と点灯とを繰り返すことで上記第１の記録媒体に記録中である旨の表示を行い、上記第１の記録媒体に静止画像を示す映像信号を記録し終わったら、上記表示単位を全て消灯するように上記表示手段を制御することで、第１の記録媒体に記録中である明確に示すことができ、異なる種類の記録媒体を備える場合であっても、いづれの記録手段にデータを記録しているのかをユーザに明確に示すことができる。
【図面の簡単な説明】
【図１】本発明を適用したカメラ装置の構成を示すブロック図である。
【図２】カードメモリに映像信号を記録しているときの表示部に表示される記録中表示を説明するための図である。
【図３】テープ状記録媒体に静止画像を記録しているときの表示部に表示される記録中表示を説明するための図である。
【図４】カードメモリに静止画像を示す映像信号を記録するときの処理内容を示すフローチャートである。
【図５】静止画像示す映像信号をカードメモリに記録するときに表示される記録中表示を説明するための図である。
【符号の説明】
１  カメラ装置、７  カードメモリ、９  静止画マイコン、１０  Ｈ／Ｉコントローラ、１５  テープ状記録媒体
【図１】
0004010057.tif 000002
【図２】
0004010057.tif 000003
【図３】
0004010057.tif 000004
【図４】
0004010057.tif 000005
【図５】
0004010057.tif 000006